(57)【要約】      （修正有）【課題】改善されたブランコチェアを提供する。【解決手段】基板１を含み、基板上にチェア面２を設け、チェア面の底部に基板と組み合わせる溝を設置し、基板の両端は溝の外部に伸び、基板上部の両端に近い位置にサスペンション穴１０１を設置し、基板の左右両端にはすべて連結バンプ１１を設置し、連結バンプは上昇用コネクタ１２と活動に繋がり、上昇用コネクタはロックピン１３を通じ連結バンプと活動に連結し、上昇用コネクタに滑り止めのケース１２１を設置し、滑り止めのケースは上昇用コネクタに設置され、基板の底部に対称に二つのケーシング３を設置し、二つのケーシング間にＵ型スタンドバー４を設置し、ケーシングとＵ型スタンドバーの間には第一ネジ４２１を配置し、Ｕ型スタンドバーの内側にチェア背板５を設置し、チェア背板の後端の面に対称に二つの組部６を設置し、組部はＵ型スタンドバーに設置され、組部とＵ型スタンドバーの間にねじ６０１を設置します。【選択図】図１
0003206187.tif 000002
【実用新案登録請求の範囲】
【請求項１】
ブランコチェアにおいて、
基板を含み、前記の基板上にチェア面を設け、前記のチェア面の底部に前記の基板と組み合わせる溝を設置し、前記の基板の両端は前記の溝の外部に伸び、前記の基板上部の両端に近い位置にサスペンション穴を設置し、前記基板の左右両端にはすべて連結バンプを設置し、前記の連結バンプは上昇用コネクタと繋がり、前記の上昇用コネクタはロックピンを通じ前記の連結バンプと連結し、前記の上昇用コネクタに滑り止めのケースを設置し、前記の滑り止めのケースは前記の上昇用コネクタに設置され、前記基板の底部に対称的に二つのケーシングを設置し、前記の二つのケーシング間にU型スタンドバーを設置し、前記のケーシングと前記のU型スタンドバーの間には第一ネジを配置し、前記のU型スタンドバーの内側にチェア背板を設置し、前記のチェア背板の後端の面に対称的に二つの組部を設置し、前記の組部は前記のU型スタンドバーに設置され、前記の組部と前記のU型スタンドバーの間にねじを設置し、前記のチェア背板の前端の面に第一クッションを設置し、前記の第一クッションには背中の位置決め溝があり、前記のチェア面の上に第一溝を設置し、前記の第一溝の内に第二クッションを嵌め、前記の第二クッションに尻の位置決め溝がある
ことを特徴とするブランコチェア。
【考案の詳細な説明】
【技術分野】
【０００１】
本発明は一種の改善されたブランコチェアに関する
【背景技術】
【０００２】
ブランコは児童のおもちゃの一種で、既存技術のブランコは採用したチェアはひとつの簡単なプラスチック板で、その支える能力は有限で、折れやすく、同時にチェアのバックにはリミッターをもっていなく、でも児童のコントロール能力は有限で、後方に転倒しやすく、そのためわりに大きい隠れた危険が存在します。
【考案の概要】
【考案が解決しようとする課題】
【０００３】
本発明は解決する技術問題が一種の改善されたブランコチェアを提供し、基板でチェア面を支え、チェア面の受ける能力を増加することができ、チェア面の折れを免れ、同時にチェア面のバックにチェア背板を設置し、バックのリミッター効果があり、児童が遊ぶ時に後方に転倒することを避け、同時にチェア背板とチェア面の距離はU型スタンドバーで調節すつことができ、使用の需要を満足させ、基板の両側に活動できる上昇用コネクタを設置し、このブランコチェアの移動とインストールに便利で、インストールと取り外しは比較的に便利で、そして使用を影響しなく、上昇用コネクタに滑り止めのケースを設置し、ブランコチェアを上げ移動する時、腕は上昇用コネクタの間に滑る現象を発生することができないと確保し、本請求の構造が簡単で、コストが安く、製造が比較的に便利で、普及使用に適合します。
【課題を解決するための手段】
【０００４】
一種の改善されたブランコチェアで、基板を含み、前記の基板上にチェア面を設け、前記のチェア面の底部に前記の基板と組み合わせる溝を設置し、前記の基板の両端は前記の溝の外部に伸び、前記の基板上部の両端に近い位置にサスペンション穴を設置し、前記基板の左右両端にはすべて連結バンプを設置し、前記の連結バンプは上昇用コネクタと活動に繋がり、前記の上昇用コネクタはロックピンを通じ前記の連結バンプと活動に連結し、前記の上昇用コネクタに滑り止めのケースを設置し、前記の滑り止めのケースは前記の上昇用コネクタに設置され、前記基板の底部に対称に二つのケーシングを設置し、前記の二つのケーシング間にU型スタンドバーを設置し、前記のケーシングと前記のU型スタンドバーの間には第一ネジを配置し、前記のU型スタンドバーの内側にチェア背板を設置し、前記のチェア背板の後端の面に対称に二つの組部を設置し、前記の組部は前記のU型スタンドバーに設置され、前記の組部と前記のU型スタンドバーの間にねじを設置し、前記のチェア背板の前端の面に第一クッションを設置し、前記の第一クッションには背中の位置決め溝があり、前記のチェア面の上に第一溝を設置し、前記の第一溝の内に第二クッションを嵌め、前記の第二クッションに尻の位置決め溝があります。
【０００５】
最適に、前記のチェア面の外部の四つの頂角位置は円弧で固定され、前記のチェア面はPVCプラスチックのチェア面です。
【０００６】
最適に、前記の基板外部の四つの頂角位置は円弧で引き渡します。
【０００７】
最適に、前記のケーシングと前記の基板の間は溶接で固定され、前記のU型スタンドバーと前記のケーシングの間は引渡し組み合わせます。
【考案の効果】
【０００８】
本発明は、基板でチェア面を支え、チェア面の受ける能力を増加することができ、チェア面の折れを免れ、同時にチェア面のバックにチェア背板を設置し、バックのリミッター効果があり、児童が遊ぶ時に後方に転倒することを避け、同時にチェア背板とチェア面の距離はU型スタンドバーで調節すつことができ、使用の需要を満足させ、基板の両側に活動できる上昇用コネクタを設置し、このブランコチェアの移動とインストールに便利で、インストールと取り外しは比較的に便利で、そして使用を影響しなく、上昇用コネクタに滑り止めのケースを設置し、ブランコチェアを上げ移動する時、腕は上昇用コネクタの間に滑る現象を発生することができないと確保し、本請求の構造が簡単で、コストが安く、製造が比較的に便利で、普及使用に適合する効果を持っています。
【図面の簡単な説明】
【０００９】
【図１】本発明の改善されたブランコチェアの構造図
【考案を実施するための形態】
【００１０】
以下では、付図を結合し本発明の最適な実施例を詳しく述べ、本分野の技術者に更に容易に本発明の長所と特徴を理解させることができ、これによって本発明の保護範囲に対して、もっとはっきりとした明確な限定を作ることができます。
【００１１】
図１に示した一種の改善されたブランコチェアを参照し、基板1を含み、前記の基板1上にチェア面2を設け、前記のチェア面2底部に前記の基板1と組み合わせる溝（構造図はありません）を設置し、前記の基板1の両端は前記の溝の外部に伸び、前記の基板1上部の両端に近い位置にサスペンション穴101を設置し、前記基板1の左右両端にはすべて連結バンプ11を設置し、前記の連結バンプ11は上昇用コネクタ12と活動に繋がり、前記の上昇用コネクタ12はロックピン13を通じ前記の連結バンプ11と活動に連結し、前記の上昇用コネクタ12に滑り止めのケース121を設置し、前記の滑り止めのケース121は前記の上昇用コネクタ12に設置され、前記基板1の底部に対称に二つのケーシング3を設置し、前記の二つのケーシング3間にU型スタンドバー4を設置し、前記のケーシング3と前記のU型スタンドバー4の間には第一ネジ421を配置し、前記のU型スタンドバー4の内側にチェア背板5を設置し、前記のチェア5の後端の面に対称に二つの組部6を設置し、前記の組部6は前記のU型スタンドバー4に設置され、前記の組部6と前記のU型スタンドバー4の間にねじ601を設置し、前記のチェア背板5の前端の面に第一クッション511を設置し、前記の第一クッション511には背中の位置決め溝512があり、前記のチェア面2の上に第一溝（構造図はありません）を設置し、前記の第一溝の内に第二クッション211を嵌め、前記の第二クッション211に尻の位置決め溝212があります。
【００１２】
本発明で１つの比較的に良い実施例で、前記のチェア面2の外部の四つの頂角位置は円弧で固定され、前記のチェア面2はPVCプラスチックのチェア面です。
【００１３】
本発明で１つの比較的に良い実施例で、前記の基板１外部の四つの頂角位置は円弧で引き渡します。
【００１４】
本発明で１つの比較的に良い実施例で、前記のケーシング3と前記の基板１の間は溶接で固定され、前記のU型スタンドバー4と前記のケーシング3の間は引渡し組み合わせます。
【００１５】
本発明は、基板でチェア面を支え、チェア面の受ける能力を増加することができ、チェア面の折れを免れ、同時にチェア面のバックにチェア背板を設置し、バックのリミッター効果があり、児童が遊ぶ時に後方に転倒することを避け、同時にチェア背板とチェア面の距離はU型スタンドバーで調節すつことができ、使用の需要を満足させ、基板の両側に活動できる上昇用コネクタを設置し、このブランコチェアの移動とインストールに便利で、インストールと取り外しは比較的に便利で、そして使用を影響しなく、上昇用コネクタに滑り止めのケースを設置し、ブランコチェアを上げ移動する時、腕は上昇用コネクタの間に滑る現象を発生することができないと確保し、本請求の構造が簡単で、コストが安く、製造が比較的に便利で、普及使用に適合する効果を持っています。
【００１６】
以上は、本発明の基本原理、主要特徴と長所を示し述べます。本業界の技術者は理解すべき、本発明は上記の実施例の制限を受けなく、上記の実施例と説明書で述べたのは、ただ本発明の原理を説明し、本発明の精神と範囲を離れない前提で、本発明はまた各種の変化と改善があり、これらの変化と改善は請求した保護される本発明の範囲に属します。本発明は請求した保護範囲が寄附する権利請求書とその等しい物から決められます。
【図１】
0003206187.tif 000003